(57)【特許請求の範囲】
【請求項１】
連設部によって幅方向に連設される複数の壁材に設けられる開口構造であって、
開口枠と、
壁材の前面及び後面の下端を挟持する受け部と、
前記受け部に配置され且つ前記壁材の下面を下方から支持する上板部と、前記上板部の両端から前記壁材の前面及び後面の延伸方向と平行である側板部とを有する支持材と、
前記受け部に密着するように配置された一対の堰部材と、
前記開口枠に設けられた水抜き部と、を有し、
前記一対の堰部材は、シーリング材であり、前記支持材及び前記水抜き部を間に挟むように配置され、
前記受け部に染み出した水を、前記受け部と前記支持材の上板部との間を介して、前記水抜き部から排出する、
ことを特徴とする開口構造。
【請求項２】
前記水抜き部は、前記開口枠に設けられたシーリング材の隙間によって形成される、請求項１に記載の開口構造。
【発明の詳細な説明】
【技術分野】
【０００１】
本発明は、開口部が形成される開口構造に関する。
【背景技術】
【０００２】
近年、建物の壁材として、透明性合成樹脂製のパネルを壁材として幅方向に複数枚連設し、方形枠体に嵌め込んだものが利用されている。壁材の垂直方向の連設部は、連設凸部を連設凹部に嵌合することにより接続されている（例えば、引用文献１及び２参照）。
【０００３】
壁構造の美観を向上させるために、壁材の連設部には、シール材が圧入されないことが多いが、壁材の連設部にシール材が圧入されない場合でも壁材の連設部を介して雨水が屋内に侵入するおそれは少ない。連設凸部と連設凹部とにより形成される壁材の連設部は、止水性を有するためである。
【先行技術文献】
【特許文献】
【０００４】
【特許文献１】特開２００９−２９３１９４号公報
【特許文献２】特開２０１１−３２７１０号公報
【発明の概要】
【発明が解決しようとする課題】
【０００５】
しかしながら、開閉可能な窓又は換気扇等を壁面に設置するために、幅方向が複数の壁材に亘る開口構造が形成されるとき、開口部の外縁を形成する開口枠を介して雨水が屋内に浸入するおそれがある。例えば、開口枠が壁材を挟持するためにコの字形状の受け部を有する上フレーム、側部フレーム及び下フレームを外縁に有する場合、上フレームに溜まった雨水が、側部フレームを介して屋内に浸入することが考えられる。
【０００６】
そこで、本発明は、開口部が幅方向に複数の壁材に亘って形成される開口構造において、雨水が開口枠を介して屋内に浸入することを防止する開口構造を提供することを目的とする。
【課題を解決するための手段】
【０００７】
上記目的を達成するために、本発明に係る開口構造は、連設部によって幅方向に連設される複数の壁材に設けられる開口構造であって、開口枠と、壁材を下方から挟持する受け部と、受け部に密着するように配置された一対の堰部材と、開口枠に設けられた水抜き部と、を有し、一対の堰部材は、連設部及び水抜き部を間に挟むように配置され、連設部から受け部に染み出した水を、水抜き部から排出することを特徴とする。
【０００８】
さらに、本発明に係る開口構造では、水抜き部は、開口枠に設けられたシーリング材の隙間によって形成されることが好ましい。
【発明の効果】
【０００９】
本発明に係る開口構造によれば、一対の堰部材は、連設部及び水抜き部を間に挟むように配置され、連設部から受け部に染み出した水を、水抜き部から排出するので、雨水が連設部及び開口枠を介して屋内に浸入することを防止する開口構造を提供することが可能になった。
【図面の簡単な説明】
【００１０】
【図１】本発明に係る開口構造を有する建物の外観の一例を示す図である。
【図２】図１に示す開口構造の部分拡大正面図である。
【図３】図１に示す開口構造の部分拡大背面図である。
【図４】図２の矢印Ａの方向からの部分分解斜視図である。
【図５】（ａ）は図２のＢＢ´断面図であり、（ｂ）は図２のＣＣ´断面図であり、（ｃ）は図２のＤＤ´断面図であり、（ｄ）は図２のＥＥ´断面図である。
【図６】開口構造の組み立て手順を説明するための図（１）。
【図７】（ａ）は開口構造の組み立て手順を説明するための図（２）であり、（ｂ）は支持部材の斜視図である。
【図８】開口構造の組み立て手順を説明するための図（３）。
【図９】開口構造の組み立て手順を説明するための図（４）。
【図１０】開口構造の組み立て手順を説明するための図（５）。
【図１１】開口構造の組み立て手順を説明するための図（６）。
【図１２】開口構造の組み立て手順を説明するための図（７）。
【図１３】開口構造の組み立て手順を説明するための図（８）。
【発明を実施するための形態】
【００１１】
以下、図１〜１３を参照して、本発明に係る開口構造について説明する。まず、図１〜５を参照して、本発明に係る開口構造の構成について説明する。
【００１２】
図１は、本発明に係る開口構造を有する建物の外観の一例を示す図である。
【００１３】
体育館である建物１００は、基礎となる土台部１０１と、複数の柱部１０２と、複数の梁部１０３、１０３ａ、１０３ｂと、一対の間柱１０４ａ、１０４ｂと、下壁部１０５と、複数の扉部１０６と、屋根１０７とを有する。さらに、建物１００は、梁部１０３の上方であり且つ屋根１０７の下方に配置される開口構造１を有する。
【００１４】
複数の柱部１０２はそれぞれ、Ｈ形鋼を有し、土台部１０１の上に配置されて建物１００の縦枠を形成する。複数の梁部１０３、１０３ａ、１０３ｂはそれぞれ、Ｈ形鋼を有し、複数の柱部１０２と直交するようにボルト、ナット等の接合部材により接合されて建物１００の横枠を形成する。
【００１５】
一対の間柱１０４ａ、１０４ｂは、山形鋼を有し、梁部１０３、屋根１０７、梁部１０３ａ、１０３ｂの端部に接合部材により接合される。一対の間柱１０４ａ、１０４ｂは、窓３０の枠を形成する開口枠１０に溶接接合される。
【００１６】
下壁部１０５は、外壁材と、断熱材と、内壁材とを有し、複数の柱部１０２により支持される。複数の扉部１０６はそれぞれ、一対の鋼板と、一対の鋼板の間に挿入される無機系断熱材を有し、所望の防火性能が達成される。複数の扉部１０６はそれぞれ、中央部に配置される取っ手により外側に観音開きするように形成される。屋根１０７は、透光性樹脂により形成される一対の傾斜面を有する。
【００１７】
開口構造１は、開口枠１０と、複数の壁材２０、２１、２２、２３及び２４と、開口枠１０の上フレーム、一対の側フレーム及び下フレームにより形成される枠の内部に配置される窓３０とを有する。
【００１８】
図２〜４及び５（ａ）〜５（ｃ）を参照して、開口枠１０の構造について説明する。
【００１９】
図２は、図１の開口枠１０の周辺部の部分拡大正面図である。図３は、図１の開口枠１０の周辺部の部分拡大背面図である。
【００２０】
開口枠１０は、第一基材１１と、第二基材１２と、４つの支持部材１３と、一対の堰部材１４ａ及び１４ｂと、外面シーリング材１５とを有する。さらに、開口枠１０の上フレームの中央部には、水抜き部１６が形成される。
【００２１】
第一基材１１は、方形の枠を形成するように４５度カット合わせで連結された４つのＬ型アングルを有し、上フレーム、一対の側フレーム及び下フレームを形成する。一対の側フレームは、上フレームの両端にそれぞれ一端が接合され、下フレームの両端にそれぞれ他端が接合される。
【００２２】
第一基材１１の上フレームは、開口枠１０の上フレームの底板部と後板部とを形成する。第一基材１１の下フレームは、開口枠１０の下フレームの上板部と後板部とを形成する。第一基材１１の側方の一対の側フレームはそれぞれ、開口枠１０の側フレームの側板部と後板部とを形成する。
【００２３】
第一基材１１は、接合部材である山形鋼２７を介して梁部１０３ａ、１０３ｂにそれぞれ接合される一対の間柱１０４ａ、１０４ｂに溶接接合されている。
【００２４】
第二基材１２は、方形の枠を形成するように溶接された４つのＺ型のステンレス製の押緑材を有し、第一基材１１とともに凹部を有する開口枠１０の前板部を形成する。第二基材１２は、一対の側フレーム及び下フレームにおいて、不図示のボルト、ナット及び山形鋼などの接合部材を介して第一基材１１に接合されている。
【００２５】
図４は、図２の矢印Ａの方向からの部分分解斜視図である。
【００２６】
一点鎖線で示される壁材２１〜２３は、第一基材１１と第二基材１２とにより上フレームに形成される受け部により下方から挟持される。また、壁材２１、２３はそれぞれ、第一基材１１と第二基材１２とにより側部フレームで挟持される。
【００２７】
開口枠１０の上フレームの受け部には、４つの支持部材１３と、一対の堰部材１４ａ及び１４ｂとがそれぞれ、配置される。
【００２８】
４つの支持部材１３はそれぞれ、キャップ型の断面を有する鋼材であり、壁材２１〜２３をそれぞれ下方から支持する。具体的には、堰部材１４ａの外側に配置される支持部材１３は、壁材２１を支持し、一対の堰部材１４ａ及び１４ｂの間に配置される２つの支持部材１３は、壁材２２を支持し、堰部材１４ｂの外側に配置される支持部材１３は、壁材２３を支持する。
【００２９】
４つの支持部材１３はそれぞれ、ビス１９によって第二基材１２に締結される。また、４つの支持部材１３はそれぞれ、上方から壁材２１〜２３の何れかにより押圧される。
【００３０】
一対の堰部材１４ａ及び１４ｂはそれぞれ、シーリング材を有し、第一基材１１及び第二基材１２に密着するように配置される。すなわち、一対の堰部材１４ａ及び１４ｂはそれぞれ、一端が第二基材１２により形成される開口枠１０の前板部に密着し、他端が第一基材１１により形成される開口枠１０の後板部に密着するように配置される。さらに、一対の堰部材１４ａ及び１４ｂはそれぞれ、下端が第一基材１１により形成される開口枠１０の底板部に密着するように配置される。
【００３１】
一対の堰部材１４ａ及び１４ｂは、壁材２１と壁材２２との連設部２５、及び壁材２２と壁材２３との連設部２６を間に挟むように配置される。このような配置を採用することにより、連設部２５及び２６を介して開口枠１０の上フレームに流入した雨水は、第一基材１１の上フレームの後板部及び底板部と、第二基材１２と、一対の堰部材１４ａ及び１４ｂとにより形成される受水部に留められることになる。
【００３２】
また、一対の堰部材１４ａ及び１４ｂは、開口枠１０の上フレーム中央部に形成される水抜き部１６を間に挟むように配置される。このような配置を採用することにより、第一基材１１の上フレームの後板部及び底板部と、第二基材１２と、一対の堰部材１４ａ及び１４ｂとにより形成される受水部に留められた雨水は、水抜き部１６から排出されることになる。
【００３３】
外面シーリング材１５は、開口枠１０の前板部に第一基材１１の底面部と、第二基材１２とにより形成される凹部に、開口部３の外縁に沿って配置される。外面シーリング材１５の外側面は、第二基材１２の外側面と平坦面を形成するように配置される。一方、外面シーリング材１５の内側面は、一対の堰部材１４ａ及び１４ｂが配置される部分を除き、ビス１９の頭部の高さと同等な幅を有する空間が形成されるように付着される。一対の堰部材１４ａ及び１４ｂが配置される部分の外面シーリング材１５の内側面は、第１基材１１と第２基材１２とにより形成される凹部を埋入するように付着される。
【００３４】
図５（ａ）は図２のＢＢ´断面図である。
【００３５】
第一基材１１と第二基材１２とにより形成される受け部は、開口枠１０の上フレームにおいてバックアップ材１７ｆ、１７ｂ及び壁材用シーリング材１８ｆ、１８ｂを介して、壁材２１〜２３を挟持する。バックアップ材１７ｆ、１７ｂ及び壁材用シーリング材１８ｆ、１８ｂはそれぞれ、上フレーム、一対の側フレーム及び下フレームに亘って配置される。第一基材１１と第二基材１２とにより形成される受け部は、バックアップ材１７ｆ、１７ｂ及び壁材用シーリング材１８ｆ、１８ｂを介して、一対の側フレームでそれぞれ壁材２１、２３を側方から挟持し、下フレームで壁材２１、２３、２４を上方から挟持する。
【００３６】
支持部材１３は、壁材２３の下面を下方から支持する。支持部材１３は、ビス１９を介して第２基材１２と接合されるが、第一基材１１の底面部と、第二基材１２の下端とは接合部材又は接着部材などで接合されていない。このため、第一基材１１の底面部と、第二基材１２の下端との間に形成される隙間は、開口枠１０の上フレームに侵入した雨水が染み出す流水経路として機能する。支持部材１３が配置される部分では、外面シーリング材１５の内側面は、ビス１９の頭部の高さと同等な幅を有する空間が形成されるように付着される。第二基材１２の下端との間に形成される隙間を介して外面シーリング材１５の内側面に形成される空間に到達した雨水は、外面シーリング材１５の内側面に沿って水抜き部に流れる。
【００３７】
図５（ｂ）は図２のＣＣ´断面図である。
【００３８】
堰部材１４ａが配置される部分において、外面シーリング材１５は、開口枠１０の前板部に形成される凹部を充填するように埋入される。同様に、堰部材１４ｂが配置される部分において、外面シーリング材１５は、開口枠１０の前板部に形成される凹部を充填するように埋入される。このような配置を採用することにより、開口枠１０の上フレームの一対の堰部材１４ａ及び１４ｂが配置される部分では、堰部材１４ａ及び１４ｂと外面シーリング材１５とにより、堰部材１４ａと１４ｂとに挟まれた部分から外側への水の経路は完全に遮断される。
【００３９】
図５（ｃ）は図２のＤＤ´断面図である。
【００４０】
水抜き部１６は、開口枠１０の上フレーム中央部に形成されている。水抜き部１６の下端面は、一対の堰部材１４ａ及び１４ｂの上端よりも低い位置になるように形成される。このため、第一基材１１の上フレームの後板部及び底板部と、第二基材１２と、一対の堰部材１４ａ及び１４ｂとにより形成される受水部に溜まった水は、一対の堰部材１４ａ及び１４ｂを越流することなく、水抜き部１６を介して開口枠１０の外部に排出される。
【００４１】
図５（ｄ）は図２のＥＥ´断面図である。
【００４２】
図５（ｄ）を参照して、壁材２２について説明する。ここでは、壁材２２についてのみ説明するが、他の壁材２０、２１、２３及び２４はそれぞれ、壁材２２と同様な構造を有する。
【００４３】
壁材２２は、複数の中空部を含む壁体部と、壁体部の開口端部を封止するアルミテープなどのシート材とから構成される。壁体部は、淡く着色された透光性樹脂（ポリカーボネート）を押し出し成形によって形成したものであって、両端部に連設凸部２２ａ及び連設凹部２２ｂを有する。また、壁体部の表面には、紫外線吸収材を含んだ耐光性塗料が塗布されるか、又は紫外線吸収材を含んだ耐候層を共押し出し成形により設けており、紫外線による退色を防止できるような処理がなされている。
【００４４】
連設凸部２２ａは、先端が少し膨張したＵ字状の断面を有する中空の形状をしている。連設凹部２２ｂは、対向し離間して配置されている一対の延出部によって形成される。連設凸部２２ａは、壁材２１の連設凹部２１ｂと嵌合されることにより、連設部２５を形成する。連設凹部２２ｂは、壁材２３の連設凸部２３ａと嵌合されることにより、連設部２６を形成する。連設部２５及び２６はそれぞれ、連設凸部２２ａ及び連設凸部２３ａを有するので、外面から連設部２５及び２６に侵入した雨水が内面に到達することはない。
【００４５】
また、連設凸部２２ａ及び連設凹部２２ｂの近傍は、隣接する連設部と嵌合することにより断面Ｔ字形の空間２２ｃが形成されるように構成される。断面Ｔ字形の空間２２ｃに建物１００の躯体に取付け可能な取付具を挿入することによって、壁材２２と建物１００の躯体とを連結することができる。
【００４６】
図３に示すように、壁材２０及び２１は、取付具２８により梁部１０３ａに接合されている。また、壁材２０及び２３は、取付具２８により梁部１０３ｂに接合されている。
【００４７】
図４において斜線矢印で示されるように、外面から連設部２５及び２６に侵入した雨水は、連設部２５及び２６の外面部を上方から下方に向かって流れて、開口枠１０の上フレームの受け部に溜まる。連設部２５及び２６は、一対の堰部材１４ａ及び１４ｂの間に配置されるので、連設部２５及び２６に侵入した雨水は、第一基材１１の上フレームの後板部及び底板部と、第二基材１２と、一対の堰部材１４ａ及び１４ｂとにより形成される受水部に溜まる。
【００４８】
第一基材１１の上フレームの後板部及び底板部と、第二基材１２と、一対の堰部材１４ａ及び１４ｂとにより形成される受水部に溜まった雨水は、第一基材１１の底面部と第二基材１２の下端との間に形成される隙間を流水経路として水抜き部１６の方向に流れる。水抜き部１６に到達した雨水は、水抜き部１６を介して開口枠１０の外部に排出される。
【００４９】
窓３０は、窓枠３２に囲まれるガラス面を、ガラス面の上側を軸として外部に押し出すことにより開閉可能な横すべり出し窓である。窓３０は、開閉操作部３１を操作することにより、開閉される。
【００５０】
次に、図６〜図１３を参照して、開口構造の組み立て手順について順に説明する。
【００５１】
図６は、開口構造１の組み立て手順を説明するための第一の説明図であり、建物１００の間柱１０４ａ及び１０４ｂに第一基材１１が取り付けられた状態を示す。
【００５２】
間柱１０４ａ及び１０４ｂは、上方及び下方で建物１００の屋根１０７の構造材に接合されている。さらに、間柱１０４ａ及び１０４ｂは、建物１００の梁部１０３ａ、１０３ｂに接合されている。第一基材１１は、建物１００の躯体に接合されている間柱１０４ａ及び１０４ｂに溶接接合されることによって、第一基材１１は、建物１００の躯体に接合されている。
【００５３】
図７（ａ）は、開口構造１の組み立て手順を説明するための第二の説明図であり、第一基材１１の上フレームの底板部に４つの支持部材１３が配置された状態を示す。４つの支持部材１３のうち、左端部に配置される支持部材は左側の壁材２１を下方から支持し、右端部に配置される支持部材は右側の壁材２３を下方から支持し、他の２つの支持部材は中央の壁材２２を下方から支持するようにそれぞれ配置される。
【００５４】
図７（ｂ）は、支持部材１３の斜視図である。支持部材１３は、第一板部１３ａと、第二板部１３ｂと、第三板部１３ｃと、第四板部１３ｄとを有する。第二板部１３ｂは、第一板部１３ａの一辺で互いに板面が直交するように接するように形成されている。第三板部１３ｃは、第二板部１３ｂの一辺で互いに板面が直交するように接し且つ第一板部１３ａと対向するように形成されている。第四板部１３ｄは、第二板部１３ｂと第三板部１３ｃとが接する辺と対向する第三板部１３ｃの辺で、第三板部１３ｃの板面と互いに板面が直交し、且つ第二板部１３ｂと反対方向に延伸するように形成されている。
【００５５】
支持部材１３は、第三板部１３ｃの外側面が第一基材１１の上フレームの後板面に対向し、且つ第四板部１３ｄの下面が第一基材１１の上フレームの底板部の上面に接するように配置される。
【００５６】
図８は、開口構造１の組み立て手順を説明するための第三の説明図であり、第一基材１１の上フレームの底板部に一対の堰部材１４ａ及び１４ｂが配置された状態を示す。一方の堰部材１４ａは、左側の壁材２１を支持するために左端部に配置される支持部材１３と、隣接する支持部材１３との間に配置される。他方の堰部材１４ｂは、右側の壁材２３を支持するために右端部に配置される支持部材１３と、隣接する支持部材１３との間に配置される。一対の堰部材１４ａ及び１４ｂはそれぞれ、第一基材１１の後板部及び底板部に密着するように配置される。
【００５７】
図９は、開口構造１の組み立て手順を説明するための第四の説明図であり、第一基材１１の４つのフレームの後板部にそれぞれ、バックアップ材１７ｂが接着された状態を示す。
【００５８】
図１０は、開口構造１の組み立て手順を説明するための第五の説明図であり、壁材２０〜２４が設置された状態を示す。壁材２０〜２４は、連設部を介して隣接する壁材と連設された状態で、取付具２８を介して建物１００の梁部１０３ａ又は１０３ｂに接合されている。壁材２１は、開口枠１０の上フレームの左端に配置される支持部材１３により下方から支持されている。壁材２２は、開口枠１０の上フレームの中央に配置される２つの支持部材１３により下方から支持されされている。壁材２３は、開口枠１０の上フレームの右端に配置される支持部材１３により下方から支持されている。壁材２０と壁材２１との間、及び壁材２０と壁材２３との間には取付具２８がそれぞれ配置されて、梁部１０３ａ及び１０３ｂにそれぞれ接合される。
【００５９】
壁材２１と壁材２２との連設部２５、及び壁材２２と壁材２３との連設部２６は、一対の堰部材１４ａ及び１４ｂの間に挟まれるように配置されている。
【００６０】
図１１は、開口構造１の組み立て手順を説明するための第六の説明図であり、開口枠１０の第二基材１２が締結された状態を示す。第二基材１２は、開口枠１０の上フレームにおいて、ビス１９により支持部材１３に締結されている。また、第二基材１２は、開口枠１０の一対の側フレーム及び下フレームにおいて、第一基材１１に接合された山形鋼にビス１９により締結されている。
【００６１】
第二基材１２が第一基材１１に締結された後に、壁材２１〜２４と第二基材１２との間に、バックアップ材１７ｆと壁材用シーリング材１８ｆとが順次に挟み込まれる。次いで、壁材２１〜２４と第一基材１１との間に、壁材用シーリング材１８ｂが挟み込まれる。
【００６２】
図１２は、開口構造１の組み立て手順を説明するための第七の説明図であり、開口枠１０の前板部の凹部に外面シーリング材１５が付着された状態を示す。外面シーリング材１５の内側面は、一対の堰部材１４ａ及び１４ｂが配置される部分を除き、ビス１９の頭部の高さと同等な幅を有する空間が形成されるように付着される。一対の堰部材１４ａ及び１４ｂが配置される部分では、外面シーリング材１５の内側面は、開口枠１０の前板部に形成される凹部を充填するように埋入されている。
【００６３】
水抜き部１６が形成される位置には、外面シーリング材１５を貫通するようにＰＥパッカ４０が詰められている。ＰＥパッカ４０は、外面シーリング材１５が硬化した後に、ＰＥパッカ４０が取り外されて、水抜き部１６が形成される。
【００６４】
図１３は、開口構造１の組み立て手順を説明するための第八の説明図であり、開口部３に窓３０が配置された状態を示す。窓３０は周囲を囲うように配置される窓枠３２を介して開口枠１０に接合される。
【００６５】
以下、他の実施形態のついて説明する。
【００６６】
開口構造１では、開口枠１０の上フレームの受け部によって３つの壁材２１〜２３が挟持されているが、開口枠１０の上フレームの受け部によって挟持されている壁材は、２つ又は４つ以上でもよい。開口枠１０の上フレームによって挟持されている壁材の数に関わらず、開口枠１０の上フレームの受け部によって挟持されている壁材の間の連設部は全て、一対の堰部材１４ａ及び１４ｂの間に挟まれるように配置される。
【００６７】
また、開口構造１では、水抜き部１６は外面シーリング材１５に形成される貫通孔であるが、水抜き部は第二基材１２を貫通する貫通孔として形成されてもよい。この場合でも水抜き部の下端面は、一対の堰部材１４ａ及び１４ｂの高さよりも低い位置となり、且つ一対の堰部材１４ａ及び１４ｂの間に形成される。この場合、外面シーリング材１５は、水抜き部に対応する部分には埋入されない。一方、水抜き部以外の部分では、外面シーリング材１５は、開口構造１と同様にビス１９の頭部の高さと同等な幅を有する空間を形成するように付着してもよく、また第１基材１１と第２基材１２とにより形成される凹部を埋入するように付着してもよい。
【００６８】
また、開口構造１では、壁材２１〜２３は４つの支持部材１３によって下方から支持されているが、支持部材１３を省略して壁材２１〜２３は第一基材１１の底板部によって、下方から支持されてもよい。支持部材１３を省略すると雨水を溜める受水部の容量が小さくなるが、雨水は水抜き部１６から排出されるため、屋内に雨水が侵入するおそれは低い。
【００６９】
また、開口構造１では、一対の堰部材１４ａ及び１４ｂはシーリング材で形成されているが、ゴム、又は発泡ゴムなど水を堰き止めることができる他の部材で形成してもよい。
【００７０】
また、開口構造１では、窓３０は、横すべり出し窓であるが、引違い窓、突き出し窓、又は縦すべり出し窓などの他の種類の窓が配置されてもよく、窓３０の変わりに換気扇が配置されてもよい。
【００７１】
また、開口構造１では、壁材２０〜２４の壁体部は、ポリカーボネートで形成されるが、他の素材で形成されてもよい。
【００７２】
以上、実施形態を説明したが、ここに記載したすべての例や条件は、発明および技術に適用する発明の概念の理解を助ける目的で記載されたものであり、特に記載された例や条件は発明の範囲を制限することを意図するものではなく、明細書のそのような例の構成は発明の利点および欠点を示すものではない。発明の実施形態を詳細に記載したが、各種の変更、置き換え、変形が発明の精神および範囲を逸脱することなく行えることが理解されるべきである。
【符号の説明】
【００７３】
１    開口構造
３    開口部
１０    開口枠
１４ａ、１４ｂ    堰部材
１６    水抜き部
２０、２１、２２、２３、２４    壁材
２５、２６    壁材間の連設部
３０    窓
１００    建物
【図１】
0005943715.tif 000002
【図２】
0005943715.tif 000003
【図３】
0005943715.tif 000004
【図４】
0005943715.tif 000005
【図５】
0005943715.tif 000006
【図６】
0005943715.tif 000007
【図７】
0005943715.tif 000008
【図８】
0005943715.tif 000009
【図９】
0005943715.tif 000010
【図１０】
0005943715.tif 000011
【図１１】
0005943715.tif 000012
【図１２】
0005943715.tif 000013
【図１３】
0005943715.tif 000014